(57)【特許請求の範囲】
【請求項１】
それぞれ輸送物の搬送経路上の所定位置に設置された複数のカメラが、自己の撮影範囲を通過した輸送物の輸送環境を撮影するとともに撮影した撮像データを所定の記録手段に記録するステップと、
物流品質の検査のために用意された輸送物の梱包内に当該輸送物の輸送に携わる関係者に知られることなく設置されたデータレコーダが、当該輸送物が特定の状況下にある事実を検出するとともに検出時の当該輸送物の位置データを含む輸送環境データを出力するステップと、
前記データレコーダとの通信が可能で、かつ、予め保持した前記複数のカメラの各々の設置位置データにより特定される設置位置のカメラを制御可能なデータ処理装置が、前記データレコーダから前記輸送環境データを受信し、受信した前記輸送環境データと前記保持されている設置位置データとを照合することにより、前記輸送物の輸送環境を撮影したカメラを特定し、特定したカメラから当該輸送環境に係る撮像データを取得するとともに、前記取得した撮像データと前記受信した輸送環境データとを基に前記特定の状況を視覚化するステップと、
を有する、物流品質検査方法。
【請求項２】
前記データレコーダは、前記輸送物に作用する加速度と、当該輸送物の周囲の温度又は湿度とを検出する計器を含んでおり、前記加速度、前記温度又は湿度が、予め設定された閾値を超えたときに前記輸送環境データを出力する、
請求項１記載の物流品質検査方法。
【請求項３】
前記輸送環境データは、前記輸送物に加わる加速度データと、前記輸送物の位置データと、前記輸送物の周囲の温度データ又は湿度データとを含む、
請求項２記載の物流品質検査方法。
【請求項４】
前記データレコーダは、前記特定の状況下の事実の検出の有無に関わらず、前記輸送環境データを常時又は間欠的に前記データ処理装置へ送信する、
請求項３記載の物流品質検査方法。
【請求項５】
それぞれ輸送物の搬送経路上の所定位置に設置され、自己の撮影範囲を通過した輸送物の輸送環境を撮影するとともに撮影した撮像データを所定の記録手段に記録する複数のカメラの各々の設置位置を表す設置位置データを保持する保持手段と、  物流品質の検査のために用意された輸送物の梱包内に当該輸送物の輸送に携わる関係者に知られることなく設置され、当該輸送物が特定の状況下にある事実を検出するとともに検出時の当該輸送物の位置データを含む輸送環境データを出力するデータレコーダから、前記輸送環境データを受信する受信手段と、  前記データレコーダから受信した前記輸送環境データと前記保持手段に保持されている前記設置位置データとを照合することにより、前記輸送環境データを受信したときの輸送物の輸送環境を撮影したカメラを特定し、特定したカメラから当該輸送環境に関する撮像データを取得するとともに、前記取得した撮像データと前記受信した輸送環境データとを基に前記特定の状況を視覚化する制御手段と、を備えて成る、  データ処理装置。
【請求項６】
物流品質を検査するために用意された輸送物の梱包内に当該輸送物の輸送関係者に知られることなく設置されるデータレコーダであって、
前記輸送物に作用する加速度、前記輸送物の周囲の温度と湿度の少なくとも一方、現在位置及び時刻を検出するセンサ部と、
前記輸送物が特定の状況下にあるかどうかを検出するための条件を記録した記録手段と、
前記センサ部の計測結果が前記条件を満たすときに、それぞれ前記輸送物の搬送経路上の所定位置に設置され、それぞれ自己の撮影範囲を通過した輸送物の輸送環境を撮影するとともに撮影した撮像データを所定の記録手段に記録する複数のカメラのいずれかから前記撮像データを取得するデータ処理装置に対して、当該計測結果を表す輸送環境データを伝達する通信手段と、を備えて成る、
物流品質検査のためのデータレコーダ。
【請求項７】
それぞれ輸送物の搬送経路上の所定位置に設置され、自己の撮影範囲を通過した輸送物の輸送環境を撮影するとともに撮影した撮像データを所定の記録手段に記録する複数のカメラを制御可能なコンピュータ装置を、  前記複数のカメラの各々の設置位置を表す設置位置データを保持する保持手段、  物流品質の検査のために用意された輸送物の梱包内に当該輸送物の輸送に携わる関係者に知られることなく設置され、当該輸送物が特定の状況下にある事実を検出するとともに検出時の当該輸送物の位置データを含む輸送環境データを出力するデータレコーダとの間で通信を行う通信手段、 前記データレコーダから前記輸送環境データを受信したときに、当該輸送環境データと前記保持手段に保持されている設置位置データとを照合することにより、前記輸送環境データを受信したときの輸送物の輸送環境を撮影したカメラを特定し、特定したカメラから当該輸送環境に関する撮像データを取得するとともに、取得した撮像データと前記受信した輸送環境データとを基に前記特定の状況を視覚化する制御手段、  として機能させる、物流品質検査のためのコンピュータプログラム。
【発明の詳細な説明】
【技術分野】
【０００１】
本発明は、例えば、輸送物に大きな衝撃が加わる等の異常事態を検知した際に、その輸送物のおかれた周囲環境輸送環境を記録することにより、その原因を特定し、物流の品質を検査する方法及びシステムに関するものである。
【背景技術】
【０００２】
運送業界では、輸送物が粗雑に扱われ、強い衝撃が加わることにより発生する、「角打ち」、「破れ・擦れ」等の破損事故を防止し、物流の品質を向上したいとの要望が存在している。特に、破損事故がどのような状況で起こったかを把握し、その原因を特定し、物流の品質改善に役立てることが求められている。また、実際に破損事故が起こった場合には、その当事者を特定したいとの要望も存在している。
従来、輸送物に衝撃センサを有する衝撃検知装置を取付け、衝撃値を記録するとともに、その衝撃値が所定の大きさを超えた場合に警報を発することにより、輸送物が所定の衝撃値以上の衝撃を受けていないことを保証するシステムが知られていた（特許文献１参照）。このようなシステムでは、所定の大きさ以上の衝撃値の発生を特定できるものの、その衝撃値の発生がどのような状況で起きたのかを把握することはできず、その原因を特定することはできなかった。
また、波形採取センサ、ＧＰＳシステム、ＣＣＤカメラを輸送車両に設置し、これらによって、輸送物の健全性を常時リアルタイムに双方向確認することを特徴とするシステムが知られていた（特許文献２参照）。しかし、このシステムも、輸送物の衝撃等の原因を特定することを意図するものではなく、単に輸送車両内で輸送物を監視するに止まっていた。
【先行技術文献】
【特許文献】
【０００３】
【特許文献１】特開２００２−２４３７５５
【特許文献２】特開２００３−２３２８８８
【発明の概要】
【発明が解決しようとする課題】
【０００４】
本発明は、上記のような問題点に鑑み、輸送物に大きな衝撃が加わった等の異常事態がどのような状況で起きたのかを把握することにより、その原因を特定し、物流の品質改善に役立てることができる物流品質検査技術を提供することを主たる課題とする。
【課題を解決するための手段】
【０００５】
本発明は上記課題を解決するために、物流品質検査方法、データ処理装置、データレコーダ及びコンピュータプログラムを提供する。
本発明の物流品質検査方法は、それぞれ輸送物の搬送経路上の所定位置に設置された複数のカメラが、自己の撮影範囲を通過した輸送物の輸送環境を撮影するとともに撮影した撮像データを所定の記録手段に記録するステップと、物流品質の検査のために用意された輸送物の梱包内に当該輸送物の輸送に携わる関係者に知られることなく設置されたデータレコーダが、当該輸送物が特定の状況下にある事実を検出するとともに検出時の当該輸送物の位置データを含む輸送環境データを出力するステップと、前記データレコーダとの通信が可能で、かつ、予め保持した前記複数のカメラの各々の設置位置データにより特定される設置位置のカメラを制御可能なデータ処理装置が、前記データレコーダから前記輸送環境データを受信し、受信した前記輸送環境データと前記保持されている設置位置データとを照合することにより、前記輸送物の輸送環境を撮影したカメラを特定し、特定したカメラから当該輸送環境に係る撮像データを取得するとともに、取得した撮像データと前記受信した輸送環境データとを基に前記特定の状況を視覚化するステップと、を有する方法である。
【０００６】
ある実施の態様では、前記データレコーダは、前記輸送物に作用する加速度と、当該輸送物の周囲の温度又は湿度とを検出する計器を含んでおり、前記加速度、前記温度又は湿度が、予め設定された閾値を超えたときに前記輸送環境データを出力する。
前記輸送環境データは、例えば、前記輸送物に加わる加速度データと、前記輸送物の位置データと、前記輸送物の周囲の温度データ又は湿度データとを含む。前記データレコーダは、前記輸送環境データを常時又は間欠的に前記データ処理装置へ送信するようにしても良い。
【０００７】  本発明のデータ処理装置は、それぞれ輸送物の搬送経路上の所定位置に設置され、自己の撮影範囲を通過した輸送物の輸送環境を撮影するとともに撮影した撮像データを所定の記録手段に記録する複数のカメラの各々の設置位置を表す設置位置データを保持する保持手段と、物流品質の検査のために用意された輸送物の梱包内に当該輸送物の輸送に携わる関係者に知られることなく設置され、当該輸送物が特定の状況下にある事実を検出するとともに検出時の当該輸送物の位置データを含む輸送環境データを出力するデータレコーダから、前記輸送環境データを受信する受信手段と、前記データレコーダから受信した前記輸送環境データと前記保持手段に保持されている設置位置データとを照合することにより、前記輸送環境データを受信したときの輸送物の輸送環境を撮影したカメラを特定し、特定したカメラから当該輸送環境に関する撮像データを取得するとともに、取得した撮像データと前記受信した輸送環境データとを基に前記特定の状況を視覚化する制御手段と、を備えて成る。【０００８】
本発明のデータレコーダは、物流品質を検査するために用意された輸送物の梱包内に当該輸送物の輸送関係者に知られることなく設置されるデータレコーダであって、前記輸送物に作用する加速度、前記輸送物の周囲の温度と湿度の少なくとも一方、現在位置及び時刻を検出するセンサ部と、前記輸送物が特定の状況下にあるかどうかを検出するための条件を記録した記録手段と、前記センサ部の計測結果が前記条件を満たすときに、それぞれ前記輸送物の搬送経路上の所定位置に設置され、それぞれ自己の撮影範囲を通過した輸送物の輸送環境を撮影するとともに撮影した撮像データを所定の記録手段に記録する複数のカメラのいずれかから前記撮像データを取得するデータ処理装置に対して、当該計測結果を表す輸送環境データを伝達する通信手段と、を備えて成る物流品質検査のためのデータレコーダである。
【０００９】  本発明のコンピュータプログラムは、それぞれ輸送物の搬送経路上の所定位置に設置され、自己の撮影範囲を通過した輸送物の輸送環境を撮影するとともに撮影した撮像データを所定の記録手段に記録する複数のカメラを制御可能なコンピュータ装置を、前記複数のカメラの各々の設置位置を表す設置位置データを保持する保持手段、物流品質の検査のために用意された輸送物の梱包内に当該輸送物の輸送に携わる関係者に知られることなく設置され、当該輸送物が特定の状況下にある事実を検出するとともに検出時の当該輸送物の位置データを含む輸送環境データを出力するデータレコーダとの間で通信を行う通信手段、前記データレコーダから前記輸送環境データを受信したときに、当該輸送環境データと前記保持手段に保持されている設置位置データとを照合することにより、前記輸送環境データを受信したときの輸送物の輸送環境を撮影したカメラを特定し、特定したカメラから当該輸送環境に関する撮像データを取得するとともに、取得した撮像データと前記受信した輸送環境データとを基に前記特定の状況を視覚化する制御手段、として機能させる、物流品質検査のためのコンピュータプログラムである。
【発明の効果】
【００１０】
本発明は、それぞれ輸送物の搬送経路上の所定位置に設置された複数のカメラのうち、受信した位置データに基づいて輸送物の状況を撮影可能なカメラを特定し、このカメラの撮像データを取り込むための制御を行うため、その撮像データを参照することにより、どのような状況で輸送物に大きな衝撃が加わった等の異常事態が発生したかを把握することができ、その原因をより具体的に特定することができる。これにより、物流の品質改善に役立てることができる。
【図面の簡単な説明】
【００１１】
【図１】本発明を適用した物流品質検査システムの全体構成図である。
【図２】（ａ）は、データレコーダの構成を示す図であり、（ｂ）は、データレコーダ使用状態を示す図である。
【図３】データレコーダの機能ブロック図である。
【図４】サーバコンピュータの機能ブロック図である。
【図５】データレコーダでの処理手順図である。
【図６】出力結果の一例を示す説明図である。
【図７】出力結果の一例を示す説明図である。
【発明を実施するための形態】
【００１２】
以下、本発明を適用した物流品質検査システムの実施の形態を説明する。
図１は、この物流品質検査システムの全体構成図である。この物流品質検査システム１は、輸送物に取り付けられるデータレコーダ１０と、営業所・倉庫、車両等に取付けられた複数のカメラ２０と、サーバコンピュータ３０とからなり、携帯電話網、ＰＨＳ（Personal Handy-phone System）網、インターネット等のネットワーク４０を介して通信可能に接続されている。
【００１３】
［データレコーダ］
図２及び図３を参照して、データレコーダ１０について説明する。
まず、図２（ａ）を参照して、データレコーダ１０の構成例について説明する。
図２（ａ）はデータレコーダ１０の構成を示す図である。データレコーダ１０は、筐体１１内に、センサ１２、ＧＰＳ（Global Positioning System）受信機１３、記録媒体１４、通信機１５を収納して構成されており、可搬型の装置となっている。
センサ１２は、加速度計と、温度・湿度計を備えており、無線通信機能、データ処理機能、計時機能を有している。記録媒体１４は、センサ１２に接続されており、センサ１２の計測データを記録できるようになっている。通信機１５は、携帯電話網、ＰＨＳ網又はインターネットに接続して、無線通信により、センサ１２の計測データを外部に送信できるようになっている。
本構成例では、位置情報を取り込む手段として、ＧＰＳ受信機１３のみを挙げているが、輸送物によっては、ＧＰＳデータの受信が妨害されたり、干渉したりして、充分機能しない場合がある。そこで、ＰＨＳの位置検出機能を利用して、これをＧＰＳ受信機１３と併用する構成としてもよい。この場合には、例えば障害物によりＧＰＳデータが妨害・干渉され取得できないときであっても、ＰＨＳの位置検出機能によって位置情報を受信できるため、位置情報の取得がより確実なものとなる。
つぎに、図２（ｂ）を参照して、データレコーダ１０の使用方法について説明する。データレコーダ１０は、通常、ダミーの輸送物７０の梱包内に設置される。梱包内に設置されるので、輸送に携わる関係者に知られることなく、物流の品質について検査が可能となる。また、データレコーダ１０は、可搬型となっているため、一度使用した後も、直ぐに他の輸送物の梱包内に設置しなおすことができ、再利用が容易である。
【００１４】
つぎに、データレコーダ１０の機能について説明する。
図３はデータレコーダ１０の機能ブロック図である。データレコーダ１０は、センサ部１６、データ処理部１７、データ記録部１８、入出力制御部１９を含んで構成されている。センサ部１６は、輸送物に加わる衝撃を検知するための加速度計１６１、輸送物の現在の位置を表すＧＰＳデータを受信するＧＰＳレシーバ１６２、輸送物の周囲の温度・湿度を測るための温度・湿度計１６３、計測開始時からの経過時間を計るためのタイマー１６４を有している。また、入出力制御部１９は、無線通信機能を有しており、データレコーダ１０は、ネットワーク４０を介して、サーバコンピュータ３０と、無線通信により、データのやり取りが可能となっている。
【００１５】
センサ部１６は、輸送物の周囲の環境を示す輸送環境データを計測するためのものである。輸送環境データには、以下のものが含まれる。
（１）輸送物に加わる加速度データ
（２）輸送物の位置データ
（３）輸送物の周囲の温度データ
（４）輸送物の周囲の湿度データ
（５）時刻（計測開始時からの経過時間）データ
【００１６】
データ処理部１７は、ＣＰＵが、所定のプログラムを読み込むことにより実現される。データ処理部１７は、センサ部１６で計測された輸送環境データを受け付け、種々のデータ処理を行う。例えば、計測された輸送環境データが、所定の記録領域に記録されている判定条件と適合するか否かの判定を行う。
判定条件の例としては輸送物の異常状態を判定するための警告条件が挙げられる。この警告条件は、加速度（衝撃の大きさ）の閾値、温度の閾値、湿度の閾値、住所、時間帯等であり、予めデータ記録部１８に記録される。この警告条件は、ネットワークを介して、直接サーバコンピュータ３０内のデータベース３４に同時に、又は選択することによって記録されるものとしてもよい。
また、データ処理部１７で、所定の判定の結果が得られた場合には、輸送物に大きな衝撃が加わる等の異常事態が発生したとして、入出力制御部１９から、所定の警告信号をサーバコンピュータ３０に送信する。この際、データ処理部１７は、警告信号と併せて、輸送環境データも送信する。
さらに、データ処理部１７は、データレコーダ１０の故障・破損に備えて、輸送環境データを常時又は間欠的にサーバコンピュータ３０に送信するものとしてもよい。
【００１７】
データ記録部１８は、半導体メモリ等の記録媒体を有している。データ記録部１８は、センサ部１６から、直接、または、データ処理部１７を介して送信された輸送環境データを記録する。また、データ処理部１７での判定で用いられる警告条件が予め記録されている。
【００１８】
入出力制御部１９は、ネットワーク４０を介して、データを送受信する。本実施形態では、データレコーダ１０に内蔵するものとしたが、外部のＰＨＳ発信機等を利用する構成としてもよい。
【００１９】
［カメラ］
カメラ２０は、輸送物の周囲の環境を撮影するためのものであり、撮影した撮像データを記録する記録手段と外部に撮像データを送信するための通信手段を有している。カメラ２０は、通信手段により、ネットワーク４０を介して、サーバコンピュータ３０と無線通信可能に接続されている。カメラ２０は、輸送物の搬送経路（営業所、倉庫、車両等）に設置され、輸送物が通過する際に、その輸送環境を撮影する。また、カメラ２０で撮影された撮像データは、一旦、記録手段に記録され、サーバコンピュータ３０からの制御信号に応じ、サーバコンピュータ３０に送信される。カメラ２０の設置場所は、輸送物が経由される営業所や倉庫の他、輸送物が乗せられる車両等であり、カメラ２０の設置場所を示す設置位置データは、サーバコンピュータ３０のデータ記録部１８に記録され、管理されている。
【００２０】
［サーバコンピュータ］
サーバコンピュータ３０は、図４のように構成される。図４はサーバコンピュータの機能ブロック図である。サーバコンピュータ３０は、コンピュータ装置のＣＰＵが所定の記録媒体に記録されたコンピュータプログラムを読み込んで、そのコンピュータ装置のオペレーティングシステム（ＯＳ）と共に実行することにより、入出力制御部３１、データ処理部３２、カメラ制御部３３が形成される。サーバコンピュータ３０は、さらに、データベース３４を有している。
【００２１】
入出力制御部３１は、ネットワーク４０を介して、データレコーダ１０からの警告信号及び輸送環境データやカメラ２０からの撮像データを受け付け、データ処理部３２やカメラ制御部３３に送信する。また、入出力制御部３１は、外部の入力装置からの入力や、外部の出力装置へのデータ解析処理の結果の出力も制御する。
【００２２】
データ処理部３２は、入出力制御部３１を介して、データレコーダ１０から、輸送環境データと警告信号を受け付ける。データ処理部３２は、輸送環境データに含まれる位置データを参照し、警告対象の輸送物の位置を特定し、さらに、データベース３４に記録されている設置位置データを参照し、警告対象の輸送物の近辺のカメラを特定する。カメラを特定したデータは、カメラ制御部３３に送られる。データ処理部３２は、データレコーダ１０からの輸送環境データやカメラ２０からの撮像データも基づき、種々のデータ解析処理も行う。
【００２３】
カメラ制御部３３は、データ処理部３２から送られた警告対象の輸送物の近辺のカメラを特定するデータを参照し、特定されたカメラに対して、警告対象の輸送物の周囲を撮影した撮像データを返信するように、制御信号を送信する。
【００２４】
データベース３４には、予めカメラ２０の設置場所を示す設置位置データと地図データが記録されている。また、データベース３４には、データレコーダ１０から送信された輸送環境データやカメラ２０から返信された撮像データが記録される。地図データは検査結果のデータ解析処理で用いられる。さらに、データベース３４は、データレコーダ１０が故障・破損した場合のバックアップ用の記録媒体としても用いられる。
【００２５】
［運用形態］
次に、上記のように構成される物流品質検査システムの運用形態を説明する。
１．データレコーダの設置
データレコーダ１０に、初期設定として、警告信号と輸送環境データを送信する契機となる警告条件を設定する。設定項目としては、例えば、加速度（衝撃の大きさ）の閾値、温度の閾値、住所、時間帯等であり、これらのうち複数の項目を複合したものとしてもよい。この設定項目は、データレコーダ１０のデータ記録部１８に記録される。その後、データレコーダ１０を、輸送物の梱包の中に設置する。通常は、ダミーの輸送物の梱包を用意して、輸送に携わる関係者に知られないように、その梱包の内部に設置する。
【００２６】
２．データレコーダによる輸送環境データ記録
データレコーダ１０のセンサ部１６は、輸送環境データを計測する。計測された輸送環境データは、警告条件の判定のためにデータ処理部１７に送られるとともに、記録のためにデータ記録部１８にも送られる。データレコーダ１０のデータ記録部１８は、センサ部１６からから輸送環境データを受け付け、記録する。輸送環境データの記録は、例えば、データレコーダの電源がオンのときに常時記録するものとしてもよく、例えば、５分おきのように間欠的に記録するものとしてもよく、また、警告条件に適合すると判定された前後の所定期間だけ記録するものとしてもよい。
【００２７】
３．データレコーダによる警告条件の判定
データレコーダ１０のデータ処理部１７は、輸送環境データを受け付けると、データ記録部１８に記録された警告条件と受け付けた輸送環境データとが適合するか否かの判定処理を行う。
例えば、警告条件が加速度（衝撃の大きさ）の閾値、温度の閾値、湿度の閾値の場合には、データ処理部１７は、加速度計１６１、温度・湿度計１６３で計測される加速度データ、温度データ、湿度データが、警告条件として設定された閾値を超過したか否かの判定を行う。
また、例えば、警告条件が住所、時間帯の場合には、データ処理部１７は、ＧＰＳレシーバ１６２、時計タイマー１６４で計測される位置データ、時刻（計測開始時からの経過時間）データが、警告条件として設定された位置、時刻（計測開始時からの経過時間）に適合するか否かの判定を行う。
データレコーダ１０のデータ処理部１７は、判定処理の結果、輸送環境データが警告条件に適合すると判定すると、輸送物に異常事態が発生したとして、警告信号とそれに対応する輸送環境データをサーバコンピュータ３０に送信する。警告信号と併せて送信される輸送環境データには、少なくとも警告条件に適合すると判定されたデータが計測された場所の位置データと時刻（計測開始時からの経過時間）データとが含まれる。また、警告信号と併せて送信される輸送環境データは、所定の判定の結果が得られたデータが計測された瞬間のデータを含むものとする。例えば、所定の判定の結果が得られたデータが計測された前後１分のデータとする。
【００２８】
４．サーバコンピュータによるカメラ制御信号の送信
サーバコンピュータ３０によるカメラ制御信号の送信の処理を、図５のサーバコンピュータの処理手順図を参照しながら説明する。
サーバコンピュータ３０の入出力制御部３１は、データレコーダ１０から、警告信号と輸送環境データを受け付けると、データ処理部３２に送信する（ステップＳ１００）。データ処理部３２は、警告信号に対応する輸送環境データに含まれる位置データを参照し、警告条件に適合すると判定されたデータが計測された時の輸送物の位置を特定する処理を行う（ステップＳ１１０）。また、同時に、警告条件に適合すると判定されたデータが計測された時間を特定する処理を行う。
サーバコンピュータ３０のデータ処理部３２は、データベース３４に記録されている設置位置データを参照し、複数のカメラ２０から、先の処理で特定された輸送物の位置の近辺に設置されたカメラ２０を特定する処理を行う（ステップＳ１２０）。
サーバコンピュータ３０のカメラ制御部３３は、データ処理部３２でカメラ２０が特定されると、特定されたカメラ２０に制御信号を送信する（ステップＳ１３０）。この制御信号には、警告条件に適合すると判定されたデータが計測された時間を指定する情報が含まれてもよい。また、制御信号が送信されるカメラ２０は、複数であってもよい。
【００２９】
５．カメラによる撮像データの返信
カメラ２０は、サーバコンピュータ３０からの制御信号を受け付けると、記録されている撮像データのうち、警告条件に適合すると判定されたデータが計測されデータを選定し、ファイル化して、サーバコンピュータ３０に送信する。制御信号に時間を指定する情報が含まれる場合には、指定された時間帯のデータを選定する。
【００３０】
６．サーバコンピュータによるデータ解析処理
サーバコンピュータ３０のデータ処理部３２は、データレコーダ１０から受け付けた輸送環境データとカメラ２０から受け付けた撮像データに基づき、種々の解析処理を行う。
【００３１】
（解析処理例１）
サーバコンピュータ３０のデータ処理部３２は、物流品質の検査結果に関する帳票の発行のための解析処理を行う。
まず、データ処理部３２は、データレコーダ１０から送信された輸送環境データを解析し、警告条件に適合すると判定されたデータが計測されたのが、輸送の全工程のうち、どの工程であったのかを特定する。この解析処理は、輸送環境データのうち、例えば、加速度データと位置データを用いて行う。例えば、位置データが輸送物が所定の位置に止まっていることを示し、加速度データが特に上下の加速度が急激に上昇したことを示す場合は、営業所等における積込又は荷卸の工程であると特定できる。
次に、データ処理部３２は、データベース３４に記録されている帳票テンプレートのうちから、特定された工程に対応する帳票テンプレートを選定する。さらに、データ処理部３２は、選定された帳票テンプレートに、必要に応じて、輸送環境データや撮像データを添付して、出力する。
図６は、サーバコンピュータ３０から出力される帳票の例を示している。
帳票８０において、項目８１は、輸送環境データのうち加速度データと温度データを時系列グラフにしたものである。項目８２は、輸送の工程を示すものである。項目８３は、再発防止策等を記載したコメント欄である。本解析処理例では、加速度データと温度データをグラフ処理するものとしたが、輸送環境データに応じて、湿度データ等をグラフ処理するものとしてもよい。
【００３２】
（解析処理例２）
サーバコンピュータ３０のデータ処理部３２は、輸送物に大きな衝撃が加わった等の異常事態が発生した場所を地図上に表示して出力するための処理を行う。
まず、データ処理部３２は、データレコーダ１０から送信された輸送環境データを解析し、警告条件に適合すると判定されたデータが計測されたのが、どの位置だったのかを特定する。次に、データ処理部３２は、データベース３４に記録されている地図データの対応箇所に異常事態が発生したことを示すアイコンを表示させるための処理を行い、出力する。地図データの代わりに、航空写真や地上写真を用いてもよい。また、この地図データと関連付けて、撮像データや画像データを表示するようにしてもよい。
図７は異常事態が発生した位置を地図に表示した出力の例を示している。
出力画面９０において、項目９１は地図であり、項目９２は異常事態が発生した地点を示すアイコンであり、項目９３はアイコンに対応した輸送環境データを示す表である。図示しないが、このアイコンをクリックすると、対応する映像が再生されるようになっている。
【００３３】
（解析処理例３）
サーバコンピュータ３０では、データ処理部で、映像に映っている人物を特定するために、映像解析処理を行う。
データ処理部３２は、カメラ２０から送信された撮像データについて顔認識処理を行い、異常事態の発生に関係した当事者を特定する。この顔認識処理は、公知の顔認識プログラムを用いることができる。
【００３４】
このように、本実施形態の物流品質検査システムでは、警告条件に適合すると判定されたデータが計測されたときの輸送物の位置を特定し、特定した位置からこの輸送物の周囲を撮影しているカメラを特定し、このカメラから撮像データを受け付けるものとしたため、輸送物に大きな衝撃が加わった等の異常事態が発生した事実、場所、時間等を特定するだけではなく、その際の状況がどのようなものであったかを具体的に視認したり、記録することができ、その異常事態の原因をより具体的に特定することができる。また、映像解析処理をすることにより、実際にその異常事態の当事者を特定することもできる。
これにより、物流の品質改善に役立てることができる。
【００３５】
本実施形態は以上の通りであるが、この実施形態例に限定されることなく、例えば、以下のような実施も可能である。
本実施形態では、カメラ２０は、特に、輸送物を撮影するものとして説明したが、さらに、車両が走る路面を撮影するものとしてもよい。この構成によると、段差や急カーブなどの道路状況が異常事態の原因となった場合に、その原因を特定することが可能となる。
【符号の説明】
【００３６】
１０  データレコーダ
１１  筐体
１２  センサ
１３  ＧＰＳ受信機
１４  記録媒体
１５  通信機
１６  センサ部
１７  データ処理部
１８  データ記録部
１９  入出力制御部
２０  カメラ
３０  サーバコンピュータ
３１  入出力制御部
３２  データ処理部
３３  カメラ制御部
３４  データベース
４０  ネットワーク
５０  車両
６０  営業所・倉庫
７０  輸送物
８０  帳票
９０  出力画面
【図１】
0005820135.tif 000002
【図２】
0005820135.tif 000003
【図３】
0005820135.tif 000004
【図４】
0005820135.tif 000005
【図５】
0005820135.tif 000006
【図６】
0005820135.tif 000007
【図７】
0005820135.tif 000008